(57)【特許請求の範囲】
【請求項１】
前後方向にネスティング可能な椅子本体と、当該椅子本体に対して着脱可能な懸吊棚とを有する棚付き椅子であって、
前記懸吊棚が、荷物を載置するための棚板と、前記椅子本体の左右の脚フレーム間を座の下方で連結する横架フレームから吊り下げられて前記棚板の前後端を懸吊する懸吊部とを具備し、
前記懸吊部が、棚板の後端に一体に成形された後棚懸吊部と、前棚懸吊部とを有し、
前記前棚懸吊部が、横架フレームから吊り下げられるとともに前記椅子本体の前脚に当接しながら棚板を支持する棚板支持部を有し、
前記棚板支持部が、上端において前記横架フレームに掛けるためのフックと、下端において前記脚フレームに当接する当接部を有し、
前記当接部が、前記脚フレームに掛け止められる掛止部であることを特徴とする棚付き椅子。
【請求項２】
前記棚板の前後端を吊り下げる各懸吊部が、前記横架フレームにおける側面視同じ箇所から吊り下げられている請求項１記載の棚付き椅子。
【請求項３】
前記棚板支持部が、前記棚板の前後の揺動を禁止し得るものである請求項２記載の棚付き椅子。
【請求項４】
前記懸吊部が、側面視前記椅子本体の脚に沿うように位置付けられている請求項１、２又は３記載の棚付き椅子。
【請求項５】
前記棚板本体及び前記懸吊部が、それぞれ金属製の線材により形成されたものである請求項１、２、３又は４記載の棚付き椅子。
【発明の詳細な説明】
【技術分野】
【０００１】
本発明は、水平方向にネスティング可能な椅子に関するものである。
【背景技術】
【０００２】
従来、同形状の椅子同士を例えば前後方向に重ね合わせることによって複数の椅子を省スペースで収納可能な、所謂ネスティング可能な椅子が提案されている。そしてこのようなネスティング可能な椅子は、例えば会議室や集会施設といった、多くの人間が介する場所に導入することを主な目的としている。そしてこのような椅子の多くは、斯かる会議室等に集まった参加者の所有物を参加者の近くに配置し得るように、椅子自体に小型の天板を取り付けたものや、椅子の座の下側の空間に鞄等の荷物を載置するための棚が設けられたものが、これまでに提案されている（例えば、特許文献１参照）。そして、この特許文献１に記載された棚付き椅子は、棚板を位置付ける具体的な箇所や棚板の具体的な形状を工夫することにより、ネスティング時においても棚を椅子本体から外すことなく、棚を取り付けていない椅子本体同士をネスティングする場合と略同じ収納効率をもって複数の棚付き椅子を収容し得るものとなっている。
【先行技術文献】
【特許文献】
【０００３】
【特許文献１】特開２００５−７３７８９号公報
【発明の概要】
【発明が解決しようとする課題】
【０００４】
しかしながら、上記特許文献１記載の棚装置は椅子本体に取り付けるためには予め椅子の脚、具体的には前脚に開口を設けるなど、取り付けるための格別の加工を椅子本体に施さなければならないものとなっており、そのため、既存のネスティング可能な椅子を既に使用している場合や、既存のネスティング椅子の導入後、改めて棚を備え付けるといったことが出来ないものとなっている。また、改めて棚を導入する可能性を見越して当該椅子を生産する場合には、通常のネスティング可能な椅子を製造する手間に加え、棚を設けるための開口等を別途設けるという格別の作業を回避し得ないものとなっているのが現状である。
【０００５】
本発明は、このような不具合に着目したものであり、格別な加工を椅子本体に施す事を回避しながら座の下方に荷物載置用の棚を設けた棚付き椅子を提供することを目的としている。
【課題を解決するための手段】
【０００６】
本発明は、このような目的を達成するために、次のような手段を講じたものである。すなわち本発明に係る棚付き椅子は、前後方向にネスティング可能な椅子本体と、当該椅子本体に対して着脱可能な懸吊棚とを有する棚付き椅子であって、前記懸吊棚が、荷物を載置するための棚板と、前記椅子本体の左右の脚フレーム間を座の下方で連結する横架フレームから吊り下げられて前記棚板の前後端を懸吊する懸吊部とを具備している。
【０００７】
ここで、「棚板」とは、単に板状の構造物を指すのみならず、例えば網棚やハンモック状のものといったものをも含め、荷物を載置し得る状態を構成し得る、換言すれば「棚板」として機能し得るもの全てを含むという概念である。また、「懸吊する」とは、単に棚板を直接吊り下げる態様に限定されることはなく、別体のものに当接しながら棚板を何れかの方向から支持するといった、間接的に懸吊する態様をも含まれる概念である。
【０００８】
このようなものであれば、懸吊棚を座の下方に位置付けられた横架フレームから棚板の前後端を懸吊するので、椅子本体の脚を始めとするフレーム自体には何も加工を施すこと無く「棚板」を取り付けることが可能となる。すなわち、椅子本体にはなんら前もった格別の加工を施すことが有効に回避されているので、棚付き椅子を導入後、懸吊棚を取り外しても上記の加工箇所が目立ってしまうという不具合を有効に回避することができる。また他方、既存のネスティング可能な椅子になんら格別の加工を施すことなく本発明を実現することも可能である。さらに、棚板を導入することを見越した椅子本体のみを導入する場合にも、予め格別な加工を施さなければならないという製造上の手間を有効に削減することが可能となる。
【００１１】
間接的に棚板を懸吊する態様として本発明は、懸吊部が、棚板の後端に一体に成形された後棚懸吊部と、前棚懸吊部とを有し、前棚懸吊部が、横架フレームから吊り下げられるとともに椅子本体の前脚に当接しつつ棚板を支持する棚板支持部を有している。
【００１２】
そして当該棚板支持部の具体的な構成として本発明は、当該棚板支持部の上端において横架フレームに掛けるためのフックを設けるとともに、下端において脚フレームに当接する当接部を設けた。さらに本発明は、当接部は、脚フレームに掛け止められる掛止部とすることを特徴としている。
【００１３】
そして斯かる構成のものにおいて、棚板の前後端を吊り下げる各懸吊部を、横架フレームにおける側面視同じ箇所から吊り下げるものとすれば、椅子本体に取り付けやすいものとなるとともに、既存の種々の椅子への適用も容易に図ることができる。この場合には、棚板支持部が、棚板の前後の揺動を禁止し得るものとしておくことが望ましい。
【００１４】
そして棚板に載置した荷物を使用者が側方から出し入れし易いものとして扱い易い懸吊棚とするためには、懸吊部を、側面視椅子本体の脚に沿うように位置付けておく事が好ましい。
【００１５】
そして、懸吊棚を、椅子本体に適用し易く、軽量で且つ耐久性の高いものとするためには、棚板本体及び懸吊部を、それぞれ金属製の線材により形成されたものとすることが望ましい。
【発明の効果】
【００１６】
本発明によれば、椅子本体の脚を始めとするフレーム自体には何も加工を施すこと無く「棚板」を取り付けることが可能となる。すなわち、椅子本体にはなんら前もった格別の加工を施すことが有効に回避されているので、棚付き椅子を導入後、棚を取り外しても上記の加工箇所が目立ってしまうという不具合を有効に回避し得る椅子を提供することが可能となる。
【図面の簡単な説明】
【００１７】
【図１】本発明の参考例に係る棚付き椅子の使用姿勢を示す斜視図。
【図２】同棚付き椅子の分解斜視図。
【図３】同棚付き椅子の収納姿勢を示す斜視図。
【図４】本発明の第２実施形態に係る棚付き椅子の使用姿勢を示す斜視図。
【図５】同棚付き椅子の収納姿勢を示す斜視図。
【図６】同棚付き椅子の分解斜視図。
【図７】同実施形態の変形例に係る懸吊棚を示す斜視図。
【図８】同変形例に係る棚付き椅子の使用姿勢を示す外観図。
【発明を実施するための形態】
【００１８】
＜参考例＞
以下、本発明の参考例について図面を参照して説明する。
【００１９】
本参考例に係る棚付き椅子Ａは、会議室等で好適に用いられている、着座者が簡易に使用し得る天板部４を有したものであり、使用姿勢では着座者は好適な座り心地を維持しつつ天板部４に資料等を載置しながら使用し得る一方、図３に示すような座３０の前端を上方に跳ね上げた収納姿勢では、図示しない同形状の他の椅子本体Ｃを前後方向に重ね合わせることによって、所謂ネスティング可能に構成した椅子本体Ｃを主体としたものである。
【００２０】
ここで、本参考例に係る棚付き椅子Ａは、前後方向にネスティング可能な椅子本体Ｃと、当該椅子本体Ｃに対して着脱可能な懸吊棚６とを有する棚付き椅子Ａであって、懸吊棚６が、荷物を載置するための棚板７と、椅子本体Ｃの左右の脚フレームたる前脚フレーム２間を座３０の下方で連結する横架フレームである座フレーム３から吊り下げられて棚板７の前後端を懸吊する懸吊部８とを具備していることを特徴とするものである。
【００２１】
以下、本参考例に係る棚付き椅子Ａを構成する椅子本体Ｃの基本的な構成と懸吊棚６の具体的な構成について説明する。
【００２２】
椅子本体Ｃは、下端部にそれぞれキャスタＫを取り付けた左右それぞれ一対の脚フレームである後脚フレーム１及び前脚フレーム２と、前脚フレーム２間に架け渡された横架フレームである座フレーム３と、前脚フレーム２から上方に延伸させて設けた背フレーム５に対し、それぞれ座３０、天板部４及び背凭れ５０をそれぞれ取り付けてなるものである。
【００２３】
後脚フレーム１は、左右対称に一対設けられた例えば金属製のパイプ材を主体としたものであり、下端に取り付けたキャスタＫから真上に若干寸法延伸した箇所に曲がり部１ａを設け、当該曲がり部１ａから前上方にさらにパイプ材を延伸することにより、上端を前脚フレーム２と背フレーム５との境界箇所で固定したものである。そして当該後脚フレーム１の下端部間の離間寸法を前脚フレーム２のそれよりも大きく設定することにより、当該椅子本体Ｃを、後側を他の椅子本体Ｃの前側へ向けて好適にネスティングし得るように構成しているものである。また本参考例では、図示左側すなわち着座者にとっては右側に位置する後脚フレーム１の上端付近の位置で天板部４の取付位置を例えば溶接等で添設させることによって、当該天板部４を取り付けている。しかし当該天板部４の取付態様や天板部４自体の構成については既存のものであるので、本参考例では説明を省略するものとするとともに、他の既存の天板部４に係る種々の構成を適用することができる。
【００２４】
前脚フレーム２は、後脚フレーム１に同じく左右対称に一対設けられた例えば金属製のパイプを主体としたものであり、下端に取り付けたキャスタＫから真上に若干寸法延伸した箇所に曲がり部２ａを設け、当該曲がり部２ａから後上方に湾曲しながら延伸させたものである。そして斯かる前脚フレーム２は、椅子本体Ｃの前後方向における略中央の箇所において座フレーム３を溶接等により架設させているとともに、上端を後脚フレーム１に固定したものとしている。なお本参考例ではこの前脚フレーム２は、後脚フレーム１との固定箇所からそのまま上方へパイプ材を延伸させることによって背フレーム５を一体に設け、当該一対の背フレーム５間に背凭れ５０を架設したものとしている。しかし勿論、本発明は当該背凭れ５０並びに背フレーム５の具体的な態様に限定されることはなく、例えば背フレーム５は後脚フレーム１に一体に設けたものとしてもよい。そして当該前脚フレーム２同士の下端部における離間寸法は、上述の通り、後脚フレーム１のそれよりも小さく設定することにより、当該椅子本体Ｃは前後方向へのネスティングが可能な形状となっている。
【００２５】
座フレーム３は、一対の前脚フレーム２における前後方向中央付近の箇所を例えば溶接によって接合された両端部３ａとし、当該両端部３ａから幅方向中央へ向かうにつれて座前フレーム３１及び座後フレーム３２に枝分かれさせながら左右の前脚フレーム２を横架させているものである。そして座前フレーム３１には中央からやや両側に離間した２箇所において使用姿勢で座３０を支持させるための例えば樹脂製の座支持部３１ａをねじ止め等により設けている。他方後脚フレーム１は、その中央を、座３０の下面側に設けられた回動部３０ａを回転可能に取り付ける座取付部３２ａに設定している。そして座３０は、上記の通り回動部３０ａの位置で座取付部３２ａに回転可能に取り付けられることにより、椅子本体Ｃの使用姿勢では着座面を略水平に位置付ける一方、着座面を略垂直に背に接する程度にまで跳ね上げることによって椅子本体Ｃをネスティング可能な収納姿勢へと変更し得るものであるが、当該座３０の具体的な形状等の構成は既存の種々の構成を適用し得るものであるとともに、他の既存の構成を適用しても良い。
【００２６】
しかして本参考例に係る棚付き椅子Ａは、上述したネスティング可能な椅子本体Ｃに、荷物を載置するための棚板７と、椅子本体Ｃの左右の脚フレームたる前脚フレーム２間を座３０の下方で連結する横架フレームたる座フレーム３から吊り下げられて棚板７の前後端を懸吊する懸吊部８とを着脱可能に取り付けていることを特徴とするものである。以下、当該懸吊棚６の具体的な構成について詳述する。
【００２７】
懸吊棚６は、本参考例では金属製の線材を適宜折り曲げ溶接することによって一体成形させたものであり、当該線材を縦横に配することによって上方に荷物等を載置し得る棚板７と、当該棚板７の前後端から上方に延びることによって当該棚板７を座フレーム３に対して引っ掛けて吊り下げるための懸吊部８とを有している。
【００２８】
棚板７は、線材を前後左右方向にマス目状に配することにより、荷物等を載置し得る荷物載置面７１と、当該荷物載置面７１から後端にかけて上方に傾斜させて形成した迫り上がり部７２とを有している。そして当該棚板７は、荷物載置面７１を若干前方へ向けて傾斜させて設けることにより、椅子本体Ｃをネスティングする際に棚板７自体も前後方向に重ね合わせることが可能なものとなっている。
【００２９】
懸吊部８は、本参考例では、座フレーム３からフックによって吊り下げることによって棚板７を直接的に懸吊する棚懸吊部たる後棚懸吊部８１及び前棚懸吊部８４とをそれぞれ左右一対有しているものである。後棚懸吊部８１は、上端部において座後フレーム３２における座支持部３１ａの両側に掛けるためのフック８２と、下端において棚板７の後端部における両端よりも若干中央よりの中間位置に接続する中間接続部８３とを有している。そして前棚懸吊部８４は、上端部において座フレーム３の両端部３ａに掛けるためのフック８５と、下端において棚板７の前端且つ両側端に接続する側端接続部８６とを有している。
【００３０】
すなわち本参考例では後棚懸吊部８１が棚板７の中間位置を懸吊する中間接続部８３を有することで、荷物載置面７１に載置された荷物に対し、椅子の後ろからの出し入れを行ない難い構成としている。そしてこれら後棚懸吊部８１並びに前棚懸吊部８４は、後脚フレーム１及び前脚フレーム２に概略沿うように延伸させて設けられたものとなっている。加えて、側端接続部８６の位置が正面視前脚フレーム２に近接した位置に設定することで前棚懸吊部８４が正面視前脚フレーム２に概略沿うように延伸して設けられたものとなっている。そうすることにより、着座者が背後からの不意な荷物の出し入れを気にすることなく、且つ、荷物載置面７１上の空間へは、両側並びに正面側からのうち任意の方向からの容易なアクセスが可能となっている。
【００３１】
また本参考例では、後棚懸吊部８１のフック８２及び前棚懸吊部８４のフック８５をそれぞれ略同じ向きに設けて椅子本体Ｃの前側から両端部３ａ及び座後フレーム３２に容易に掛けることにより取り付け得るものとなっている。またこれら計４つのフック８２、８２、８５、８５は、座フレーム３の両端部３ａ並びに座後フレーム３２の中央付近に掛かるように位置付けることによって、当該４つのフック８２、８２、８５、８５の配置が平面視概略台形の各頂点に該当する位置に位置付けられている。すなわち、棚板７の前後端間の寸法よりもフック８２、８５間の前後の寸法の方が小さいので、図３において懸吊棚６を破線で模式的に示すように、棚板７が障害物に当たるなどして前後方向に揺動しても、フック８２、８５の揺動する大きさが棚板７のそれよりも小さいものとなっている。
【００３２】
以上のような構成とすることにより、本参考例に係る棚付き椅子Ａは、椅子本体Ｃの前後の脚フレーム２、３や座フレーム３自体には何も加工を施すこと無く棚板７を取り付けたものとなっている。特に本参考例では椅子本体Ｃにはなんら前もった格別の加工を施すことなく棚板７を容易に取り付けやすい態様で設けたものとなっているので、棚付き椅子Ａを導入後、懸吊棚６を取り外しても上記の加工箇所が目立ってしまうという不具合も解消されたものとなっている。さらに、棚板７を導入することを見越した椅子本体Ｃのみを予め導入する場合を想定したとしても、そのために予め格別な加工を施さなければならないという製造上の手間を有効に削減し得たものとなっている。
【００３３】
そして具体的に本参考例では、棚板７の前後端間の寸法よりも小さい寸法で前後に離間した所定箇所から棚板７の前後端をそれぞれ吊り下げたものとして、棚板７の揺れ幅よりも懸吊部８上端の揺れ幅を小さく構成しているので、棚板７自体の揺れによって懸吊部８が揺れて椅子本体Ｃから外れてしまうことを有効に抑制し得たものとなっている。また本参考例では、懸吊棚６を線材によって一体成形することにより、単純な構成でありながらも頑丈なものとなっている。さらに本参考例では、上記計４つのフック８２、８２、８５、８５を、座フレーム３に対してそれぞれ同じ方向から掛け得るものとして、簡単な着脱を可能なものとしている。
【００３４】
＜第２実施形態＞
続いて、以下に本発明の第２実施形態に係る棚付き椅子Ａについて説明するが、上記参考例における構成要素に相当する構成要素には同じ符号を付すとともに、その詳細な説明を省略するものとする。
【００３５】
まず、本実施形態における椅子本体Ｃは、上記第１実施形態と同じ構成をなすネスティング可能な椅子であるため、椅子本体Ｃに関する具体的な説明は省略する。
【００３６】
そして、本実施形態に係る棚付き椅子Ａは、さらに第１実施形態と同様に、前後方向にネスティング可能な椅子本体Ｃと、当該椅子本体Ｃに対して着脱可能な懸吊棚６ａとを有する棚付き椅子Ａであって、懸吊棚６ａが、荷物を載置するための棚板７と、椅子本体Ｃの左右の脚フレーム間を座３０の下方で連結する横架フレームから吊り下げられて棚板７の前後端を懸吊する懸吊部８とを具備している。以下、当該懸吊棚６ａの要部について、具体的に説明する。
【００３７】
まず懸吊棚６ａは、棚板７と後棚懸吊部８１とが一体に設けられている点は上記実施形態と同じであるが、前棚懸吊部８７は、棚板７とは別体に構成したものとしている。
【００３８】
棚板７は、上記実施形態同様に棚板７並びに迫り上がり部７２を有している点は上記実施形態と同じであるが、前端部の両側端には、前方に線材を延出させるとともに、前脚フレーム２に当接し得るように湾曲させて設けた当接端部７３を設けている。
【００３９】
懸吊部８は、棚板７に一体に成形された後棚懸吊部８１と、本実施形態では棚板７とは別体に構成された前棚懸吊部８７とを有している。後棚懸吊部８１は、上端において、座フレーム３の両端部３ａに掛け得るフック８２を有するとともに、下端においては棚板７の後端且側端に接続している側端接続部８３ａを有している。そして前棚懸吊部８７は、上端において同じく座フレーム３の両端部３ａに掛け得るフック８５を有する一方、下端においては棚板７の当接端部７３の下側において前脚フレーム２の曲がり部２ａに周回することによって当該曲がり部２ａに当接する本発明の当接部として作用することで、当接端部７３を下方から支持し得る前脚掛止部８８を有している。すなわち前棚懸吊部８７は、棚板７を支持するための本発明の棚板支持部に該当するものである。つまり、前棚懸吊部８７の下端に設けた前脚掛止部８８は、当接端部７３の下方への移動を禁止することにより、棚板７の揺動を禁止するものとなっている。そして詳細には、計４つのフック８２、８２、８５、８５が側面視同じ箇所に掛けられることにより棚板７が前後に揺動し得るものとなるところ、棚板支持部たる前棚懸吊部８７に設けた前脚掛止部８８が斯かる揺動を有効に禁止したものとなっている
そして本実施形態においても、これら後棚懸吊部８１並びに前棚懸吊部８７は、後脚フレーム１及び前脚フレーム２に概略沿うように延伸させて設けられたものとなっている。加えて、前脚掛止部８８、当接端部７３の位置が正面視前脚フレーム２に近接した位置に設定することで前棚懸吊部８７が正面視前脚フレーム２に概略沿うように延伸して設けられたものとなっている。そうすることにより、着座者が荷物載置面７１上の空間へは、両側並びに正面側からのうち任意の方向からの容易なアクセスが可能となっている。
＜変形例＞
そして、上記のような荷物載置面７１上の空間への着座者のアクセスをさらに好適なものとした本実施形態の変形例に係る棚付き椅子Ａを図７、図８に示す。
【００４０】
このよう、前棚懸吊部８７並びに後棚懸吊部８１に、側面視でさらに前脚フレーム２・後脚フレーム１に沿うように線材を湾曲させた湾曲部８７ａ、８１ａを設けた棚付き椅子Ａとすることにより、使用者は、懸吊部８の存在を着座３０中には、なんら気に掛けることなく、快適な荷物の出し入れが可能なものとなっている。
【００４１】
以上のような構成とすることにより、本実施形態並びに変形例に係る棚付き椅子Ａは、懸吊部８として棚板支持部を採用して間接的に棚板７を懸吊するものとしても、条規実施形態同様に、椅子本体Ｃになんら格別な加工を施さなくとも棚板７を安定して位置付けたものとなっている。
【００４２】
そして当該棚板支持部の具体的な構成として、当該棚板支持部たる前棚懸吊部８７の下端において前脚フレーム２に当接する当接部としての掛止部たる前脚掛止部８８を設けることにより、前脚フレーム２に好適に掛け止められて棚板７を安定して支持し得るものとなっている。さらに前脚掛止部８８は棚板７の揺動を禁止し得るものとしているので、本実施形態のように、フック８２、８２，８５、８５を側面視同じ位置である座フレーム３の側端部３ａに掛け止めても棚板７の揺動が好適に禁止されたものとなっている。
【００４３】
以上、本発明の実施形態について説明したが、各部の具体的な構成は、上述した実施形態のみに限定されるものではなく、本発明の趣旨を逸脱しない範囲で種々変形が可能である。
【００４４】
例えば、上記実施形態では金属製の線材のみによって懸吊棚を形成した態様を開示したが、勿論、棚板として板状の別異な素材を適用してもよい。また椅子本体に設ける横架フレームの数や当該横架フレームの具体的な配置、さらには、脚フレームの具体的な形状や懸吊部に設けたフックの向きや位置などといった具体的な態様は上記実施形態のものに限定されることはなく、既存のものを含め、種々の態様のものを適用することができる。
【００４５】
その他、各部の具体的構成についても上記実施形態に限られるものではなく、本発明の趣旨を逸脱しない範囲で種々変形が可能である。
【符号の説明】
【００４６】
Ａ…棚付き椅子
Ｃ…椅子本体
１…脚フレーム（後脚フレーム）
２…脚フレーム（前脚フレーム）
３…横架フレーム（座フレーム）
６、６ａ…懸吊棚
７…棚板
８…懸吊部
８１、８４…棚懸吊部
８１ａ、８４ａ…湾曲部
８５…フック
８７…棚板支持部、
８８…前脚当接部（前脚掛止部）
【図１】
0005489095.tif 000002
【図２】
0005489095.tif 000003
【図３】
0005489095.tif 000004
【図４】
0005489095.tif 000005
【図５】
0005489095.tif 000006
【図６】
0005489095.tif 000007
【図７】
0005489095.tif 000008
【図８】
0005489095.tif 000009